(57)【特許請求の範囲】
【請求項１】
それぞれボルト貫通孔を有すると共に形状を異にした複数種の端子金具によって構成されかつ種類毎に１つの前記端子金具が設けられている複数のグループを有し、前記各端子金具とは前記ボルト貫通孔へ挿通されるボルトに対する締め込みによって個別に接続可能な相手側端子金具群が配列してなる外側枠体に対し前記各グループを組み込むにあたり、各グループ内における前記端子金具の誤配列および前記外側枠体に対するグループ間の誤配列を防止するための構造であって、
前記各グループは端子金具を収容する内側枠体を有しかつこの内側枠体の内部には、収容される端子金具の種別に対応した形状をなし正規端子金具との組み合わせ時のみ各グループ内の全ての端子金具を組み込み可能とする端子識別部が設けられ、
前記外側枠体には、前記各グループ毎に対応した形状をなす同数種の枠体収容部が配されるとともに、各枠体収容部には前記各内側枠体との正規組み合わせ時にのみ全ての内側枠体を組み込み可能とするグループ識別部が形成され、
さらに、前記内側枠体に設けられた枠体係合部が前記外側枠体に対して係合することで、前記ボルトに対する締め込みがなされる前に前記内側枠体が前記外側枠体に抜止保持されることを特徴とする端子金具の誤組み付け防止構造。
【請求項２】
前記内側枠体には、前記両端子金具を装着した状態で、前記端子収容部を閉止可能な蓋体が設けられていることを特徴とする請求項１に記載の端子金具の誤組み付け防止構造。
【発明の詳細な説明】
【０００１】
【発明の属する技術分野】
本発明は、端子金具の誤組み付け防止構造に関するものである。
【０００２】
【従来の技術】
図１２には、実開平５−２３４３１号に開示された端子金具１００の誤組み付け防止構造を示した。図示４種類の端子金具１００には、その端縁から、それぞれ異なった位置に識別突起１０１が突設されている。一方、端子金具１００を装着するベース１０２には、端子金具１００を受け入れる受入れ部１０３と、各識別突起１０１に相補的な識別凹部１０４が設けられている。このようにして、識別突起１０１と識別凹部１０４との組合せによって、各端子金具１００を正規位置にのみ組付け可能とすることで、誤組み付けを防止している。
【０００３】
【発明が解決しようとする課題】
ところが、上記の構造では、端子金具１００の増加に合わせて、識別突起１０１と識別凹部１０４とを増加させねばならず、新たに金型を製作しなければならない。
【０００４】
また、上記の構造では、端子金具１００の種類に拘わらず、一対一対応で端子金具１００と受入れ部１０３とを形成している。このため、例えば数種類の端子金具がグループとなり、そのグループが複数個ある場合（そのような場合には、通常一つのグループ毎に端子金具がまとめられて配索されることが多い）にも、各端子金具１００と受入れ部１０３とを一対一に合わせてみなければならず、煩雑な組付操作となっていた。
【０００５】
本発明は、上記した事情に鑑みてなされたものであり、その目的は、端子金具の誤組み付け防止を効率よく行える構造を提供することにある。
【０００６】
【課題を解決するための手段】
上記の問題を解決するための請求項１の発明に係る端子金具の誤組み付け防止構造は、それぞれボルト貫通孔を有すると共に形状を異にした複数種の端子金具によって構成されかつ種類毎に１つの前記端子金具が設けられている複数のグループを有し、前記各端子金具とは前記ボルト貫通孔へ挿通されるボルトに対する締め込みによって個別に接続可能な相手側端子金具群が配列してなる外側枠体に対し前記各グループを組み込むにあたり、各グループ内における前記端子金具の誤配列および前記外側枠体に対するグループ間の誤配列を防止するための構造であって、前記各グループは端子金具を収容する内側枠体を有しかつこの内側枠体の内部には、収容される端子金具の種別に対応した形状をなし正規端子金具との組み合わせ時のみ各グループ内の全ての端子金具を組み込み可能とする端子識別部が設けられ、前記外側枠体には、前記各グループ毎に対応した形状をなす同数種の枠体収容部が配されるとともに、各枠体収容部には前記各内側枠体との正規組み合わせ時にのみ全ての内側枠体を組み込み可能とするグループ識別部が形成され、さらに、前記内側枠体に設けられた枠体係合部が前記外側枠体に対して係合することで、前記ボルトに対する締め込みがなされる前に前記内側枠体が前記外側枠体に抜止保持されることを特徴とする。
【０００８】
請求項２の発明は、請求項１に記載のものであって、前記内側枠体には、前記両端子金具を装着した状態で、前記端子収容部を閉止可能な蓋体が設けられていることを特徴とする。
【０００９】
【発明の作用、および発明の効果】
請求項１の発明によれば、各グループの端子金具を内側枠体に装着するときには、端子識別部によって正規端子金具が所定の位置に装着される。また、内側枠体を外側枠体に装着するときには、グループ識別部によって正規内側枠体が所定の位置に装着される。こうして、端子金具が正規の組付け位置に組み付けられる。
また、請求項１の発明によれば、内側枠体を外側枠体に抜止保持させた状態でボルト締め作業を行うことができる。したがって、作業者は内側枠体を保持しながら、ボルト締め作業を行う必要がない。
【００１１】
請求項２の発明によれば、内側枠体には蓋体が設けられているので、内側枠体に端子金具を装着した状態において、端子金具が脱落するのを防止できる。
【００１２】
【発明の実施の形態】
次に、本発明の実施形態について、図１〜図１１を参照しつつ詳細に説明する。
図１には、２種類の端子金具１，２を装着した内側枠体３を外側枠体４に装着する前の様子を示したものである。内側枠体３には、一対の端子金具１，２が装着可能とされており、外側枠体４には、一対の内側枠体３が装着可能とされている。
【００１３】
＜端子金具＞
図２には、端子金具１，２を示した。本実施形態では、外形の相異なる第一端子金具１と第二端子金具２とが設けられている。第一端子金具１は、第二端子金具２に比べて長くかつ、幅広形状とされている。各端子金具１，２は電線５の一端部に露出された芯線５Ａに接続されている。端子金具１，２の先端には、外側枠体４に突設されるボルト６を挿通可能なボルト貫通孔７が設けられている。両端子金具１，２は、一対で一つのグループを形成しており、グループ毎に内側枠体３に装着される。
【００１４】
＜内側枠体＞
次に、図３〜図５を参照しつつ、内側枠体３の構成について説明する。
内側枠体３は合成樹脂により一体に成形されており、その内部には一対の端子金具１，２を収容することができる。内側枠体３は、端子金具１，２を装着可能な端子収容部８，９を設けた本体部１０と、この本体部１０に対してヒンジ１２によって回動可能とされる蓋体部１１と、同様に本体部１０に対してヒンジ１３によって回動可能とされる外枠閉止部１４とから構成される。本体部１０には、第一端子金具１を収容可能な第一端子収容部８と、第二端子金具２を収容可能な第二端子収容部９とが備えられている。それぞれの端子収容部８，９の側壁は、各端子金具１，２の外形に合わせて凹凸状の端子識別部８Ａ，９Ａとされている。このため、端子金具１，２の位置が異なると、両端子金具１，２を内側枠体３に装着することが不可能とされている。
【００１５】
また、図３において、本体部１０の左側壁からは、蓋体部１１を係合しておく係合凹部１５が凹設されている。係合凹部１５の中央には、係合突起１５Ａが突設されており、ここには後述する蓋体部１１側から突設される係合片１６が嵌まり込む。また、本体部１０の中央上部には、僅かに撓み変形可能な枠体係合部１７が設けられており、ここが外側枠体４の係合突起１８に係合することで、内側枠体３と外側枠体４とが抜止保持される。
【００１６】
また、図３において、本体部１０の左右両側壁には、第一組み合わせ部１９が設けられている。第一組み合わせ部１９は、左壁に設けられる側縁部３２と、右壁に設けられる中央部３３との２種類の凹凸部の組み合わせによって構成されている。側縁部３２には、左壁の上側に二つの凹部が隣接して備えられている一方、中央部３３には、右壁中央に一つの凹部が備えられている。この第一組み合わせ部１９は、後述する外側枠体４の枠体収容部２０に設けられる第一受け部２１にのみ、嵌まり込み可能とされている。
なお、この第一組み合わせ部１９の側縁部３２と中央部３３との位置を入れ替えたもの、すなわち右壁に中央部３３を設け、左壁に側縁部３２を設けたものが第二組み合わせ部２７であり、一対の内側枠体３には、その外壁に第一組み合わせ部１９を備えたものと、第二組み合わせ部を備えたものとの二種類が設けられている。
【００１７】
蓋体部１１はヒンジ１２を介して本体部１０に連結されており、端子収容部８，９を開放する開放位置（図３に示す位置）と、端子収容部８，９を閉止して端子金具１，２を抜止めする閉止位置（図１に示す位置）との間を回動可能とされている。蓋体部１１において、本体部１０を閉止する面（図３に示す面）には、閉止位置に至ったときに、各端子収容部８，９の位置に整合するところに、電線５の表面に当接する電線押さえ２２が突設されている。また、図３において、蓋体部１１の右側縁部には、係合片１６が突設されている。係合片１６は、図示左右方向に僅かに撓み変形可能とされているとともに、その中央には係合孔１６Ａが設けられており（図５を合わせて参照）、ここには本体部１０の係合突起１５Ａが係合することで、蓋体部１１が閉止位置に固定される。
【００１８】
外枠閉止部１４はヒンジ１３を介して本体部１０に連結されており、ヒンジ１３を回動中心として回動可能とされている。外枠閉止部１４は、図１または図５に示すように、本体部１０とほぼ直角をなす位置で成形されており、内側枠体３が外側枠体４に組み付けられた後に、本体部１０とほぼ面一となる位置まで回動される。外枠閉止部１４の先端には、左右一対の係合孔２３が開口されており、ここが外側枠体４の閉止部係合突起２４に係合することにより、端子金具１，２を外部から保護する。
【００１９】
＜外側枠体＞
次に、図６〜図８を参照しつつ、外側枠体４について説明する。外側枠体４は、樹脂により一体に成形されており、その内部には端子金具１，２を外部に接続する相手側端子金具２５がインサート成形されている。
外側枠体４には、図６に示すように、左右一対の枠体収容部２０が設けられており、各枠体収容部２０には、一対の端子金具１，２を装着可能なボルト６が突設されている。相手側端子金具２５の一端側は、樹脂の内部でボルト６に接続されている一方、他端側は、外側枠体４の外部に突設されている。
【００２０】
各枠体収容部２０の左右壁部には、内側枠体３の組み合わせ部１９，２７のうちのいずれか一方のみを受け入れ可能な受け部２１，２８が設けられている。図６において、左側の枠体収容部２０に設けられる第一受け部２１は、左壁に設けられる側縁突起２９と、中央壁３１に設けられる中央突起３０とからなる。側縁突起２９には、二つの突起が設けられており、内側枠体３の側縁部３２と組み付け可能とされている。また、中央突起３０には、一つの突起が設けられており、内側枠体３の中央部３３と組み付け可能とされている。こうして、第一受け部２１には、第一組み合わせ部１９を備えた内側枠体３のみが受け入れ可能とされている。
【００２１】
また、右側の枠体収容部２０には、上記した両突起２９，３０の位置が逆に形成されており、中央突起３０が左側の中央壁３１に、側縁突起２９が右側の壁に設けられて、第二受け部２８とされている。このため、第二受け部２８には、第二組み合わせ部２７を備えた内側枠体３のみが受け入れられる。こうして、両突起２９，３０の位置関係によって、内側枠体３が正規の組付け位置に収容可能とされている。
【００２２】
＜実施形態の作用および効果＞
次に、上記のように構成された本実施形態の作用および効果について、図９〜図１１を参照しつつ説明する。
まず、第一および第二端子金具１，２を内側枠体３の第一および第二端子収容部８，９に装着する。この装着操作の際には、端子金具１，２を装着する位置が誤っていると、端子識別部８Ａ，９Ａの形状が一致しないため、両端子金具１，２を正規位置まで押し込むことができず、誤組み付けが判明する。両端子金具１，２を正規位置に装着した後に、蓋体部１１を閉止位置まで回動させる。蓋体部１１の係合片１６が係合突起１５Ａに係合することで、蓋体部１１と本体部１０とが係合され、端子金具１，２の脱落が規制される。
【００２３】
次に、一対の内側枠体３を外側枠体４の枠体収容部２０に収容する。なお、この組み付け操作の際には、内側枠体３から突出する端子金具１，２のボルト貫通孔７にボルト６が挿通される。両内側枠体３の位置関係が正規の組み付け場所であった場合には、各組み合わせ部１９，２７と、その組み合わせ部１９，２７に対応する受け部２１，２８とが整合して、両内側枠体３が外側枠体４に収容される（図１０を参照）。
【００２４】
一方、内側枠体３の装着位置が誤っていた場合（例えば、図１１には、第二組み合わせ部２７を備えた内側枠体３が、第一受け部２１を備えた枠体収容部２０に装着されようとした場合を示す）は、組み合わせ部と受け部との凹凸形状が一致しないために、内側枠体３を収容することができず、誤組み付けが判明する（図１１中、「符号Ａ」で示す円の内部では、中央部３３と側縁突部２９とが互いに当接している。なお、図示はしないが、中央壁３１では、側縁部３２と中央突起３０とが当接している。）。
なお、両内側枠体３が外側枠体４に装着されると、各ボルト６に図示しないナットが取り付けられた後に、外枠閉止部１４が端子金具１，２を保護するようにして、外側枠体４に組み付けられる。
【００２５】
このように、本実施形態によれば、一対の端子金具１，２を内側枠体３に装着するときには、端子識別部８Ａ，９Ａによって正規の端子金具が所定の位置に装着される。また、内側枠体３を外側枠体４に装着するときには、組み合わせ部１９，２７と受け部２１，２８とによって正規内側枠体が所定の位置に装着される。こうして、端子金具１，２が正規の組付け位置に組み付けられる。
また、内側枠体３には、蓋体部１１が設けられているので、内側枠体３に端子金具１，２を装着した状態において、端子金具１，２が脱落するのを防止できる。
【００２６】
本発明は前記実施形態に限定されるものではなく、例えば次に記載するようなものも本発明の技術的範囲に含まれる。
（１）本実施形態では、二種類の端子金具１，２を、二組の内側枠体３に収容し、これを外側枠体４に組み付ける構成を設けたが、本発明によれば、端子金具、内側枠体、外側枠体の個数は上記によらず、三種類以上の端子金具、三組以上の内側枠体に組み付けてもよい。
（２）本実施形態では、組み合わせ部１９，２７と受け部２１，２８とは、左右対称に設けたが、本発明によれば、対称的に形成する必要はなく、内側枠体を正規の位置に組み付け可能とするようにグループ識別部を設ければよい。
【図面の簡単な説明】
【図１】本実施形態において、端子金具を装着した内側枠体を外側枠体に組付ける前の斜視図
【図２】端子金具の正面図
【図３】内側枠体の正面図
【図４】内側枠体の側面図
【図５】内側枠体の平面図
【図６】外側枠体の正面図
【図７】外側枠体の側面図
【図８】外側枠体の平面図
【図９】内側枠体に端子金具を装着し、蓋体を閉止する前の正面図
【図１０】内側枠体を外側枠体に対して正規位置に装着したときの斜視図
【図１１】外側枠体に内側枠体を装着する際に、装着位置を誤ったときの斜視図
【図１２】従来例において、端子金具をベースに組み付けたときの図
【符号の説明】
１…第一端子金具
２…第二端子金具
３…内側枠体
４…外側枠体
６…ボルト
７…ボルト貫通孔
８…第一端子収容部
８Ａ…端子識別部
９…第二端子収容部
９Ａ…端子識別部
１１…蓋体部（蓋体）
１９…第一組み合わせ部
２０…枠体収容部
２１…第一受け部（受け部、グループ識別部）
２５…相手側端子金具
２７…第二組み合わせ部
２８…第二受け部（受け部、グループ識別部）
【図１】
0003905245.tif 000002
【図２】
0003905245.tif 000003
【図３】
0003905245.tif 000004
【図４】
0003905245.tif 000005
【図５】
0003905245.tif 000006
【図６】
0003905245.tif 000007
【図７】
0003905245.tif 000008
【図８】
0003905245.tif 000009
【図９】
0003905245.tif 000010
【図１０】
0003905245.tif 000011
【図１１】
0003905245.tif 000012
【図１２】
0003905245.tif 000013